(57)【要約】【課題】雪上競技用のポール等の基礎棒を容易に地中や積雪中等に設置するための基礎棒ねじ込み装置を提供する。【解決手段】本発明の基礎棒ねじ込み装置１は、受動回転部２０と、駆動回転部３０と、それらを収容する収容部１０から成る。爪２３を切れ込み４２に係合させて基礎棒４１に受動回転部２０を取り付け（（ａ），（ｂ））、駆動回転部３０の駆動軸３１に市販の電動ドリルドライバ５１を取り付ける（（ｃ），（ｄ））。電動ドリルドライバ５１から回転動力を駆動軸３１に与えると、回転動力が駆動回転部３０、受動回転部２０を経て基礎棒４１に与えられ、基礎棒４１は地中等にねじ込まれる。これにより、従来全て手作業で行っていた雪上競技用ポールの設置作業に要する労力と時間を軽減することができる。【選択図】  図４
2004215790.tif 000002
【特許請求の範囲】
【請求項１】
ａ）基礎棒に取り付ける取付部と、動力を受ける被伝動手段とを有する受動回転部と、
ｂ）駆動軸と、該駆動軸に固定された、前記被伝動手段に動力を伝える伝動手段とを有する駆動回転部と、
ｃ）前記受動回転部と前記駆動回転部を収容する収容部と、
を備えることを特徴とする基礎棒ねじ込み装置。
【請求項２】
前記収容部が把手を有することを特徴とする請求項１に記載の基礎棒ねじ込み装置。
【請求項３】
前記受動回転部がその回転中心を貫通する中空部を有することを特徴とする請求項１又は２に記載の基礎棒ねじ込み装置。
【請求項４】
受動回転部及び収容部が分割可能であることを特徴とする請求項３に記載の基礎棒ねじ込み装置。
【発明の詳細な説明】
【０００１】
【発明の属する技術分野】
本発明は、地中や積雪中等に基礎棒をねじ込むための装置に関する。この基礎棒ねじ込み装置は特に、スキーやスノーボード等の雪上競技において旗門等として用いられるポールを設置するための装置として好適に用いることができる。
【０００２】
【従来の技術】
雪上競技においては、コースを示すための旗門が雪上に設けられる。この旗門として設けられる旗は、そのポールの下部（基礎棒）を雄ねじとして、硬化した積雪中にねじ込むことにより固定される。また、回転等の種目においては、選手は最短コースをとるために旗に接触することが多いため、その際に旗が容易に抜けないことが必要である。そのためにも基礎棒を雄ねじ構造とすることが有効である。
【０００３】
この基礎棒を積雪中にねじ込むためのセッティング工具が特許文献１及び２に記載されている。特許文献１は、Ｔ字状のセッティング工具を係合させるための多角形体を基礎棒の上部に設けることを提案している。設置作業の際には、セッティング工具の２本のピンを多角形体の周囲に設けた凹部に係合させ、セッティング工具を回転させて多角形体を含めた基礎棒を積雪中にねじ込んで設置した後、セッティング工具のみを取り外す。撤去作業の際にも同様にセッティング工具を用いて基礎棒を積雪中から取り出す。特許文献２は、多角形体の凹部の数を４、６又は８個とすることにより、凹部が２個のみである特許文献１の装置よりもセッティング工具の取り付けを容易にしたものである。
【０００４】
【特許文献１】
特開平１０−２０８２１号公報（［００１７］，図２）
【特許文献２】
特開平１１−５７１１４号公報（［００１０］〜［００１２］，図１）
【０００５】
【発明が解決しようとする課題】
セッティング工具を用いることにより、基礎棒をねじ込む際に必要とされる力は軽減されるが、この方法においても作業は全て手作業で行われることには変わりはない。１つの雪上競技コースを設営するためには数十〜百以上の旗を設けなければならないが、これだけの数のポールを競技開始前に設置する作業及び競技終了後に撤去する作業には大変な労力と手間及び時間を要する。
【０００６】
本発明はこのような課題を解決するために成されたものであり、その目的とするところは、基礎棒の設置及び取り外しの際の労力、手間及び時間を大きく軽減することができる装置を提供することにある。
【０００７】
【課題を解決するための手段】
上記課題を解決するために成された本発明に係る基礎棒ねじ込み装置は、
ａ）基礎棒に取り付ける取付部と、動力を受ける被伝動手段とを有する受動回転部と、
ｂ）駆動軸と、該駆動軸に固定された、前記被伝動手段に動力を伝える伝動手段とを有する駆動回転部と、
ｃ）前記受動回転部と前記駆動回転部を収容する収容部と、
を備えることを特徴とする。
【０００８】
【発明の実施の形態】
本発明に係る基礎棒ねじ込み装置の構造について説明する。
受動回転部は、基礎棒の中心軸を中心に回転する部分である。受動回転部は基礎棒に取り付けるための取付部を有する。例えば、各メーカの代表的な雪上競技用ポールの基礎棒にはセッティング工具を取り付けるための切れ込みが２箇所設けられているが、本発明に係る装置を雪上競技用ポール設置用として用いる場合には、取付部はその切れ込みに係合する爪構造とする。受動回転部は駆動回転部の伝動手段から与えられる回転動力を受けるための被伝動手段を有する。伝動手段−被伝動手段には、例えば歯車やプーリ・ベルト等を用いることができる。
【０００９】
駆動回転部は、外部から与えられる回転動力を受動回転部に与える部分である。駆動回転部は駆動軸を有し、この駆動軸に外部の動力源から回転動力が与えられる。駆動軸には伝動手段が固定され、外部動力源からの回転動力は、駆動軸−伝動手段を介して受動回転部の被伝動手段に与えられる。伝動手段−被伝動手段が歯車で構成される場合には、両歯車を直接噛合させてもよいが、駆動軸と受動回転部（基礎棒）の回転方向を同一とするために、両歯車の間に更に歯車を設けてもよい。
【００１０】
伝動手段−被伝動手段において、その歯数比、プーリ径の比等を適宜設定することにより、外部から駆動軸に与えられるトルクよりも大きなトルクを基礎棒に与えることができる。これにより、小さな動力でも基礎棒を固い積雪や地面等の中にねじ込むことができる。
【００１１】
受動回転部及び駆動回転部は、収容部内に設ける。外部動力源を駆動軸に容易に取り付けることができるように、駆動回転部を収容部から取り外すことができるようにしてもよい。
【００１２】
本発明の基礎棒ねじ込み装置の使用方法及び動作について説明する。
基礎棒を設置する地面等に下穴を開け、この下穴に基礎棒の先端を刺し込んで基礎棒を立てる。この基礎棒の上部に受動回転部の取付部を取り付ける。そして、駆動回転部の駆動軸に外部動力源を取り付ける。前記のように、駆動回転部を収容部から取り外し、外部動力源に駆動軸を取り付けた後に再び駆動回転部を収容部に取り付けるようにしてもよい。これにより、駆動軸への外部動力源の取り付けが容易となる。
【００１３】
前記のように伝動手段−被伝動手段のトルク伝達比を適切に設定することにより、駆動軸に与えるトルクは小さくてもよいようになるため、外部動力源には、例えば市販の電動ドリルドライバを用いることができる。電動ドリルドライバの多くは、乾電池や充電池等により動作するため、別途商用電源や発電装置等を用意する必要はない。そのため、電源の確保が難しい雪上競技コース内において使用するのに特に好適である。なお、この場合、駆動回転部を収容部から取り外し、電動ドリルドライバのチャックに駆動軸を差し込んで締め付け、固定した後に駆動回転部を収容部に戻すという上記の使い方が便利である。
【００１４】
収容部を手で押さえ、外部動力源から駆動軸に回転動力を与える。回転動力は、駆動回転部の伝動手段から受動回転部の被伝動手段を通して基礎棒に伝えられる。これにより、基礎棒は地中等にねじ込まれる。
【００１５】
設置した基礎棒を撤去する際には、上記と同様に、本発明に係る装置を基礎棒に取り付け、電動ドリルドライバ等の外部動力源を駆動回転部の駆動軸に取り付ける。外部動力源を基礎棒取り付けの時とは逆方向に回転させることにより、基礎棒を地中等から取り出すことができる。
【００１６】
基礎棒ねじ込み装置の動作中は、地面等のねじ込み抵抗の反作用により、収容部が逆方向に回転しようとする。そのため、収容部を確実に固定しておく必要がある。そこで、収容部を手等で確実に押さえることができるように、収容部に把手を設けることが望ましい。
【００１７】
受動回転部の回転軸に平行な方向に貫通した中空部を設けてもよい。基礎棒の上部にポール等が固定されている場合でも、この中空部をポール等に通すことにより、基礎棒に本発明の装置を取り付けることが可能となる。
【００１８】
基礎棒が既に地面等にねじ込まれており、しかもその上部に長いポール等が固定されている場合には、受動回転部に中空部を設けたとしても、それをポールに通すのが面倒な作業となる。この問題を解消するため、受動回転部及び収容部を分割可能としてもよい。この場合、回転中心軸を含む面で正２分割するのが望ましい。
【００１９】
【発明の効果】
本発明により、動力を用いて基礎棒を地中や積雪中等に容易にねじ込むことができるようになる。これにより基礎棒の設置の労力、手間及び時間を大きく軽減することができる。また、本発明においては市販の電動ドリルドライバ等の取り扱いが簡便な動力を用いることができる。電動ドリルドライバの多くは乾電池や充電池等で動作するため、別途電源を用意する必要がない。そのため、本発明の基礎棒ねじ込み装置は、特に外部からの電源の確保が難しいスキー場のコース等において、雪上競技用のポールを設置する際に好適に用いることができる。それ以外にも、本発明の基礎棒ねじ込み装置は、例えば看板や標識等を立設するための基礎棒のねじ込みにも使用することができる。
【００２０】
【実施例】
図１に、本発明に係る基礎棒ねじ込み装置の一実施例を示す。（ａ）は本実施例の基礎棒ねじ込み装置の上面図、（ｂ）は側面図、（ｃ）は底面図である。収容部１０の内部に受動回転部２０及び駆動回転部３０を設ける。また、収容部１０には把手１１を設ける。
【００２１】
受動回転部２０は、中空円筒状の本体２１と、その上部の周囲に設けられた歯車２２、及び本体２１の下端に２箇所設けられた爪２３から成る（図２参照）。歯車２２は収容部１０内の空間１２に収容され、これにより受動回転部２０が収容部１０内で回転可能に保持される。図１及び図２において、２４は受動回転部２０の回転軸であり、２５は基礎棒を貫通させるための中空部である。
【００２２】
駆動回転部３０は、駆動軸３１とそれに固定された歯車３２から成る。本実施例の装置では、駆動回転部３０は収容部１０から着脱することができるようになっている。
【００２３】
図３に、雪上競技用ポールの一例を示す。（ａ）に示すように、積雪中にねじ込まれる基礎棒４１の上部に弾性屈曲部４３を設け、その上部にポール４４を設ける。競技中に選手がポール４４に接触しても、弾性屈曲部４３によりポール４４は折れてしまうことなく弾性的に逃げ、再び直立する。（ｂ）に基礎棒４１の部分を拡大して示す。基礎棒４１にはねじが設けられている。その上部には、セッティング工具を取り付けるための規定の位置及び寸法の切れ込み４２が設けられている。
【００２４】
本実施例の基礎棒ねじ込み装置を用いて図３の雪上競技用ポールを雪上に設置する作業の手順を、図４を用いて説明する。作業を容易に行うために、予めポール４４を弾性屈曲部４３から取り外しておく。ポールを設置する位置の積雪中に下穴を開け、基礎棒４１の先端を下穴に刺し込んで基礎棒４１を立てる。弾性屈曲部４３が受動回転部２０の中空部２５を通るように、基礎棒４１に基礎棒ねじ込み装置をかぶせ（（ａ））、受動回転部２０の爪２３が基礎棒の切れ込み４２に係合するように、基礎棒ねじ込み装置を基礎棒４１に取り付ける（（ｂ））。
【００２５】
駆動回転部３０を収容部１０から取り外し、電動ドリルドライバ５１のチャック５２に駆動軸３１を固定する（（ｃ））。この駆動回転部３０を収容部１０に再び取り付ける（（ｄ））。
【００２６】
把手１１により収容部１０を押さえつつ、電動ドリルドライバ５１を動作させて駆動軸３１を回転させる。これによりが基礎棒４１が回転し、積雪中にねじ込まれる。ねじ込みが完了した時点で電動ドリルドライバ５１を停止する。そして、駆動回転部３０を収容部１０から取り出し、装置全体を持ち上げて基礎棒から取り外す。弾性屈曲部４３にポール４４を取り付けることにより、雪上競技用ポールの設置が完了する。
【００２７】
雪上競技用ポールを撤去する際には、上記と逆の手順で行う。もちろん、電動ドリルドライバ５１は、その回転が逆方向となるように切り替える。
【００２８】
本実施例の変形例として、収容部及び受動回転部を分割可能とした基礎棒ねじ込み装置を図５に示す。この図の収容部６１及び受動回転部６２は、受動回転部６２の回転軸を含む面６３で正２分割することができる（（ｂ）参照）。これにより、長尺物が固定され、既に地面等に埋設された基礎棒を取り出す際にも、本発明に係る装置を利用することができるようになる。
【図面の簡単な説明】
【図１】本発明に係る基礎棒ねじ込み装置の一実施例を示す上面図、側面図及び下面図。
【図２】図１の基礎棒ねじ込み装置の受動回転部を示す側面図及び上面図。
【図３】本発明の基礎棒ねじ込み装置により積雪中に設置される雪上競技用ポールの一例を示す図及びその基礎棒の部分の拡大図。
【図４】図１の基礎棒ねじ込み装置を用いて図３の雪上競技用ポールを雪上に取り付ける方法を説明する図。
【図５】基礎棒ねじ込み装置の受動回転部の変形例を示す上面図。
【符号の説明】
１…基礎棒ねじ込み装置
１０、６１…収容部
１１…把手
２０、６２…受動回転部
２１…受動回転部の本体
２２…受動回転部の歯車
２３…爪
２５…中空部
３０…駆動回転部
３１…駆動軸
３２…駆動回転部の歯車
４１…基礎棒
４２…切れ込み
４３…弾性屈曲部
４４…ポール
５１…電動ドリルドライバ
５２…チャック
【図１】
2004215790.tif 000003
【図２】
2004215790.tif 000004
【図３】
2004215790.tif 000005
【図４】
2004215790.tif 000006
【図５】
2004215790.tif 000007